(57)【要約】      （修正有）【課題】フレームの左右に取り付けるナイフビームを希望の間隔となるように、簡単に変更、調整して、左右対称の位置に正確に位置決めし安定して取り付けられる農作業具の提供。【解決手段】ナイフビーム２５、コールタ２８等の左右の農作業具は、それぞれ左右の位置決め用農作業具ホルダ２２、２３に取り付けられており、左右の位置決め用農作業具ホルダ２２、２３は前方フレーム２及び後方フレーム３にスライド可能に取り付けられ、左側フレーム６と右側フレームの間に渡って、ねじ軸３３がハンドル４６の操作によって回転可能に取り付けられ、ねじ軸３３は、互いに逆方向に切られた左側のねじ部４０と右側のねじ部４１を備え、左側のねじ部４０には左側の位置決め用農作業具ホルダ２２が螺着されており、右側のねじ部４１には右側の位置決め用農作業具ホルダ２３が螺着されている。【選択図】図１
2019110847.tif 000002
【特許請求の範囲】
【請求項１】
トラクタに連結する本体フレームと、本体フレームに取り付けられた左右の農作業具と、を備えた農作業機であって、
本体フレームは、前後方向に延びる左側フレーム及び右側フレームと、左側フレームと右側フレームの間に渡って固定された横フレームと、を備え、
左右の農作業具は、それぞれ左右の位置決め用農作業具ホルダに取り付けられており、  左右の位置決め用農作業具ホルダは、横フレームにスライド可能に取り付けられており、
左側フレームと右側フレームの間に渡ってねじ軸が回転可能に取り付けられており、
ねじ軸には、互いに逆方向に切られた左側のねじ部と右側のねじ部を備え、
左側のねじ部には左側の位置決め用農作業具ホルダが螺着されており、右側のねじ部には右側の位置決め用農作業具ホルダが螺着されている構成であることを特徴とする農作業機。
【請求項２】
横フレームは、前方フレームと後方フレームを備えており、
左右の位置決め用農作業具ホルダは、それぞれその一部において後方フレームにスライド可能に嵌合し、その他部において、前方フレームにスライド可能に当接している構成であることを特徴とする請求項１に記載の農作業機。
【請求項３】
ねじ軸は、１本の軸又は２本の軸が互いに対向する端部で結合された軸から形成されており、ハンドルで回転される構成であることを特徴とする請求項１又は２に記載の農作業機。                                       
【請求項４】
農作業具は、チゼルを備えたナイフビーム、コールタ又は施肥排出管であることを特徴とする請求項１〜３のいずれかに記載の農作業機。
【発明の詳細な説明】
【技術分野】
【０００１】
本発明は、農作業機に関し、特に、サブソイラ作業機のナイフビーム等、フレームに左右に設けられた農作業具の間の横幅を調整可能に取り付けることができる農作業機に関するものである。
【背景技術】
【０００２】
従来、農作業機において、本体のフレームに左右に設けられたナイフビーム等の作業具の間を調整する手段は知られている（特許文献１参照）。
【０００３】
例えば、特許文献１には、サブソイラ作業機において、その本体における横幅方向に延びるフレームの左右に、チゼルを有するナイフビームが取り付けられた構成は知られている。このサブソイラ作業機では、ナイフビームは、その上端においてボルト・ナットでフレームに締結して取り付けられており、左右のナイフビームの間隔を調整する場合は、ボルト・ナットによる締結を緩めて、間隔を調整してからボルト・ナットで締結して取り付ければよい。
【０００４】
図示はしないが、サブソイラ作業機において、左右のナイフビームの間隔を調整する手段として、左右のナイフビームをそれぞれ取り付けた左右の位置決めユニットを左右にスライド可能に取り付け、左右の位置決めユニットに取り付けた歯車をサブソイラ作業機の左右のフレーム間に架設されたチェーンにかみ合わせ、左右の歯車をそれぞれ回転操作することによって左右の位置決めユニットをスライドさせて位置を調整し、左右のナイフビームの間隔を調整する構成が知られている。
【先行技術文献】
【特許文献】
【０００５】
【特許文献１】特開２０００−２８７５０１号公報
【発明の概要】
【発明が解決しようとする課題】
【０００６】
特許文献１に記載のように、ナイフビームの上端部をボルト・ナットでフレームに締結する構成であると、左右のナイフビームの間隔を調整する場合には、ボルト・ナットを緩め間隔を調整してから締結すればよいが、左右のナイフビームの取り付け位置及び間隔を正確に調整しにくいという問題があった。
【０００７】
また、ナイフビームの上端部をボルト・ナットでフレームに締結する構成であると、ボルト・ナットによる締結に弛みが生じ、ナイフビームの取り付け位置がずれてしまうという問題があった。
【０００８】
そして、左右の位置決めユニットに取り付けた歯車をサブソイラ作業機の左右のフレーム間に架設されたチェーンにかみ合わせ、左右の歯車をそれぞれ回転操作することによって左右の位置決めユニットをスライドさせて位置を調整する上記従来例の構成は、構造が複雑となり、しかも左右の位置決めユニットを、正確に左右対称に位置決めすることは難しく、両者の所望の間隔に調整することも難しいという問題があった。
【０００９】
本発明は、上記従来の問題を解決することを目的とし、農作業機において、フレームの左右に取り付けるナイフビーム等の農作業具を、所望の間隔となるように、簡単に変更、調整可能として、左右対称の位置に正確に位置決めし、緩んで横ずれを生じることなく、安定して取り付けることのできる農作業機を実現することを課題とする。
【課題を解決するための手段】
【００１０】
本発明は上記課題を解決するために、トラクタに連結する本体フレームと、本体フレームに取り付けられた左右の農作業具と、を備えた農作業機であって、本体フレームは、前後方向に延びる左側フレーム及び右側フレームと、左側フレームと右側フレームの間に渡って固定された横フレームと、を備え、左右の農作業具は、それぞれ左右の位置決め用農作業具ホルダに取り付けられており、  左右の位置決め用農作業具ホルダは、横フレームにスライド可能に取り付けられており、左側フレームと右側フレームの間に渡ってねじ軸が回転可能に取り付けられており、ねじ軸には、互いに逆方向に切られた左側のねじ部と右側のねじ部が備え、左側ねじ部には左側の位置決め用農作業具ホルダが螺着されており、右側のねじ部には右側の位置決め用農作業具ホルダが螺着されている構成であることを特徴とする農作業機を提供する。
【００１１】
横フレームは、前方フレームと後方フレームを備えており、左右の位置決め用農作業具ホルダは、それぞれその一部において後方フレームにスライド可能に嵌合し、その他部において、前方フレームにスライド可能に当接している構成であることが好ましい。
【００１２】
ねじ軸は、１本の軸又は２本の軸が互いに対向する端部で結合された軸から形成されており、ハンドルで回転される構成であることが好ましい。  
【００１３】
農作業具は、チゼルを備えたナイフビーム、コールタ又は施肥排出管であることが好ましい。
【発明の効果】
【００１４】
本発明によれば、農作業機において、フレームの左右に取り付けるナイフビーム等の農作業具を、所望の間隔となるように、簡単に変更、調整して、左右対称の位置に正確に位置決めし、緩んで横ずれが生じることなく安定して取り付けることができる。
【図面の簡単な説明】
【００１５】
【図１】本発明に係る農作業機の実施例の全体構成を示す斜視図である。
【図２】上記実施例の全体構成を示す図であり、（ａ）は平面図であり、（ｂ）は側面図である。
【図３】本発明に係る農作業機における、左右の位置決め用農作業具ホルダを位置決めする機構を模式的に示す原理図である。
【図４】上記実施例の作用を説明するための要部の斜視図であり、（ａ）は左右の位置決め用農作業具ホルダの間隔を広くする状態を示し、（ｂ）は左右の位置決め用農作業具ホルダの間隔を狭くする状態を示す。
【発明を実施するための形態】
【００１６】
本発明に係る農作業機を実施するための形態を実施例に基づき図面を参照して、以下説明する。
【実施例】
【００１７】
（全体構成）
本発明に係る農作業機の実施例を図１〜４において説明する。本発明に係る農作業機は、本体を形成するフレームの左右にナイフビーム等の作業機が取り付けられているものであれば、サブソイラ作業機、施肥機、播種機、その他各種の農作業機に適用可能である。
【００１８】
本実施例では、本発明に係る農作業機１として、図１、図２（ａ）、（ｂ）に示すように、農作業具としてナイフビーム２５、コールタ２８及び施肥機（施肥供給用の肥料タンク１８、施肥供給管１９等）を備えたサブソイラ作業機に適用した構成について説明する。
【００１９】
本明細書及び本発明では、農作業機１がトラクタで牽引されて進行する方向を前方とし、前方に向かって左右を左右方向又は横方向という。
【００２０】
本発明に係る農作業機１は、図１、図２（ａ）に示すように、本体として左右方向に延びる前方フレーム２と後方フレーム３を備えている。前方フレーム２と後方フレーム３は、左右両端においてそれぞれ前後方向に延びる左側フレーム６及び右側フレーム７を介して連結されており、さらに、左右中央部において左右対称に設けられ、前後方向に延びる左右の中央フレーム８を介して連結されている。
【００２１】
本実施例では、前方フレーム２は断面矩形の角パイプから形成されており、後方フレーム３は断面菱形の角パイプから形成されているが、いずれのフレームも他の断面形状のパイプ又は中実軸等で形成してもよい。
【００２２】
なお、後記するが、後方フレーム３は、左右の位置決め用農作業具ホルダ２２、２３の嵌合筒２４に相対的にスライド可能に嵌合するが、左右の位置決め用農作業具ホルダ２２、２３の嵌合筒２４が後方フレーム３を中心にして回転しないような角形の断面形状とすることが好ましい。
【００２３】
前方フレーム２には、図１、図２（ａ）に示すように、トラクタに連結するための３点リンク（図示せず）のうち、左右のリンクを取り付ける左右のリンク装着具１１が設けられている。
【００２４】
また、前方フレーム２に固定され、後方フレーム３に支持フレーム１２を介して支持されて起立されたマスト１３には、トラクタに連結するための３点のうち、中央のリンクを取り付ける中央のリンク装着具１４が設けられている。
【００２５】
左右の中央フレーム８の後端部には、図１、図２（ａ）に示すように、支持板１７を介して肥料タンク１８が取り付けられている。この肥料タンク１８の底部には、施肥排出口２０まで延びる左右の施肥供給管１９が取り付けられている。施肥排出口２０は、ナイフビーム２５の背部に設けられている。左右の中央フレーム８には、スタンド９が取り付けられている。
【００２６】
後方フレーム３の左右には、図１に示すように、左側の位置決め用農作業具ホルダ２２及び右側の位置決め用農作業具ホルダ２３が設けられている。左右の位置決め用農作業具ホルダ２２、２３には、その前後方向の略中央部に、図２（ａ）に示すように、左右方向に貫通するように嵌合筒２４が設けられている。
【００２７】
この嵌合筒２４に後方フレーム３が、相対的にスライド可能に嵌合する。本実施例では、後方フレーム３の断面形状が菱形であるので、嵌合筒２４の断面形状も菱形に形成されている。
【００２８】
左右の位置決め用農作業具ホルダ２２、２３の前端部は、図１に示すように、前方フレーム２にスライド可能に載置されている。このように、左右の位置決め用農作業具ホルダ２２、２３は、その前端部を前方フレーム２に載置し、その嵌合筒２４に後方フレーム３を嵌合する構成とすることによって、前方フレーム２及び後方フレーム３に対して、左右方向にスライド可能となる。
【００２９】
左右の位置決め用農作業具ホルダ２２、２３の後部には、図１、図２（ｂ）に示すように、それぞれナイフビーム２５の上端が固定されている。ナイフビーム２５は、その下端部にはチゼル２６が取り付けられている。農作業機１による農作業の際に、チゼル２６は圃場の地中内に食い込んで移動し、地中に残った作物（例えば、すでに収穫した砂糖黍）の残根を切ったり、耕耘等の機能を行う。
【００３０】
左右の位置決め用農作業具ホルダ２２、２３の前部には、図１、図２（ｂ）に示すように、コールタ取付アーム２７が取り付けられている。コールタ取付アーム２７には、コールタ２８が回転可能に取り付けられている。農作業機１による農作業の際に、コールタ２８は、圃場の地表面に浅く入り、地中の残渣（例えば、藁や雑草等）に残った作物（例えば、すでに収穫した砂糖黍）の残根を切ったりする等の機能を行う。
【００３１】
（原理）
以上の構成を備えた農作業機１において、本発明の特徴は、左右の位置決め用農作業具ホルダ２２、２３の間隔を、簡単な操作で、正確に調整できるようにした構成である。本発明において、左右の位置決め用農作業具ホルダ２２、２３の間隔を調整する原理について、左右の位置決め用農作業具ホルダ２２、２３を位置決めする機構を模式的に示す図３の原理図を参照して説明する。なお、図３の原理図では、図１、図２及び図４と同じ部材については、同じ符号を記載する。
【００３２】
図３において、後方フレーム３に、左右の位置決め用農作業具ホルダ２２、２３がスライド可能に嵌合して取り付けられている。後方フレーム３に平行し、左側フレーム６と右側フレーム７の間に渡って、ねじ軸３３が設けられている。
【００３３】
後記するとおり、ねじ軸３３は１本又は複数の軸から成るが、この原理図では、ねじ軸３３は、左側の軸３４と右側の軸３５がジョイント３６で直線的に一体に結合されて構成されている。
【００３４】
ねじ軸３３の左右には、互いに逆方向に切られた左側のねじ部４０と右側のねじ部４１が形成されおり、左側のねじ部４０と右側のねじ部４１は、それぞれ左側の位置決め用農作業具ホルダ２２に形成された左側のねじ孔４２と右側の位置決め用農作業具ホルダ２３に形成された右側のねじ孔４３に螺合されている。
【００３５】
このような構成において、ねじ軸３３の一端に取り付けられたハンドル４６を、図３の実線矢印Ｒに示すように、一方向に回転すると、左右の位置決め用農作業具ホルダ２２、２３は、図３の実線矢印Ｗに示すように、互いに離れる方向にスライドする。なお、ハンドルではなく、図示はしないが、モータによって適宜歯車機構等の伝達手段を介してねじ軸３３を回転する構成としてもよい。
【００３６】
そして、ハンドル４６を、図３の点線矢印Ｌに示すように、他方向に回転すると、左右の位置決め用農作業具ホルダ２２、２３は、図３の点線矢印Ｎに示すように、互いに近づく方向にスライドする。これによって、左右の位置決め用農作業具ホルダ２２、２３の間隔を適宜調整することが可能となる。
【００３７】
（具体的な構成）
以上のとおりの原理に基づく、本実施例における農作業機１の左右の位置決め用農作業具ホルダ２２、２３の位置決めのための具体的な構成は、次のとおりである。
【００３８】
図４（ａ）、（ｂ）において、左右の位置決め用農作業具ホルダ２２、２３には、それぞれ左右のねじ孔４２、４３が形成されている。左側の位置決め用農作業具ホルダ２２の左側のねじ孔４２と右側の位置決め用農作業具ホルダ２３の右側のねじ孔４３は、互いに逆向きのねじが切られており、それぞれ後記するねじ軸３３の左側のねじ部４０と右側のねじ部４１が螺着される。
【００３９】
図１、図２（ａ）、図４（ａ）、（ｂ）に示すように、左側フレーム６から右側フレーム７に渡ってねじ軸３３が設けられており、ねじ軸３３の左右両端は、左側フレーム６と右側フレーム７にそれぞれ回転可能に取り付けられている。ねじ軸３３の中央部は、左右の中央フレーム８によって、回転可能に支持されている。
【００４０】
左側フレーム６から外側に突出したねじ軸３３の端部には、図１、図２（ａ）、（ｂ）、図４（ａ）、（ｂ）に示すように、ねじ軸３３を回転するハンドル４６が取り付けられている。ねじ軸３３の左右には、それぞれ左側のねじ部４０と右側のねじ部４１が形成されている。
【００４１】
左側のねじ部４０及び右側のねじ部４１は、ねじの切り方が互いに逆向きに形成されており、それぞれ左側の位置決め用農作業具ホルダ２２のねじ孔４２及び右側の位置決め用農作業具ホルダ２３のねじ孔４３に螺合している。
【００４２】
このような構成とすることで、ねじ軸３３をハンドル４６で回転すると、その回転方向に応じて、左右の位置決め用農作業具ホルダ２２、２３は互いに左右逆方向、即ち互いに離れる方向又は互いに近づく方向にスライドする。
【００４３】
なお、ねじ軸３３は、一本の軸から形成されていてもよいし、二本の軸から形成され、それぞれの内端を中央部においてジョイント３６で一体的に結合する構成としてもよい。
【００４４】
前記したとおり、図３の原理図に示すねじ軸３３は、左右の軸３４、３５を円筒状のジョイント３６で結合した構成を示したが、本実施例でも同様に、図１に示すように、左側の軸３３と右側の軸３４を、円筒状のジョイント３６で直線的に一体に結合し、ジョイント３６を左右の中央フレーム８に回転可能に支持する構成とした。
【００４５】
（作用）                    
上記構成から成る農作業機１の作用について説明する。農作業機１は、３点リンクを介してトラクタに連結し、トラクタに牽引され圃場を移動し、左右のチゼル２６及びコール２８によって所定の農作業が行われ、さらに必要に応じて、図１に示すように、肥料タンク１８から肥料を施肥供給管１９を通して、ナイフビーム２５の後部に設けた施肥排出口２０から排出し、施肥作業も行われる。
【００４６】
左右のナイフビーム２５の間隔、左右のコールタ２８の間隔及び左右の施肥排出口２０の間隔を調整する場合は、図４（ａ）、（ｂ）に示すように、ハンドル４６を回転し、ねじ軸３３を回転する。
【００４７】
すると、左側のねじ部４０及びねじ孔４２と右側のねじ部４１及びねじ孔４３は、互いに逆方向に切られているので、左側のねじ部４０と右側のねじ部４１にそれぞれ螺着している左側の位置決め用農作業具ホルダ２２及び右側の位置決め用農作業具ホルダ２３は、互いに反対方向に移動する。          
【００４８】
例えば、図４（ａ）に示すように、ハンドル４６を実線Ｒに示すように、一方向に回転すると、左側の位置決め用農作業具ホルダ２２及び右側の位置決め用農作業具ホルダ２３は、実線Ｗに示すように、互いに遠ざかる方向に移動し、両者は左右対称を維持しながら互いの間隔は広くなる。
【００４９】
そして、図４（ｂ）に示すように、ハンドル４６を点線Ｌに示すように、他方向に回転すると、左側の位置決め用農作業具ホルダ２２及び右側の位置決め用農作業具ホルダ２３は、点線Ｎに示すように、互いに近づく方向に移動し、両者は左右対称を維持しながら互いの間隔は狭くなる。
【００５０】
このような構成の本発明に係る農作業機１によれば、ハンドル４６を一方又は他方に回転するという簡単な操作によって、左右の位置決め用農作業具ホルダ２２、２３は、近づく方向又は遠ざかる方向に移動して、左右のナイフビーム２５の間隔、左右のコールタ２８の間隔、左右の施肥排出口２０の間隔を所望の間隔に調整することができる。
【００５１】
しかも、左側の位置決め用農作業具ホルダ２２及び右側の位置決め用農作業具ホルダ２３は、それぞれ左側のねじ孔４２及び右側のねじ孔４３によって、ねじ軸３３の左側のねじ部４０及び右側のねじ部４１に螺合しており、一端位置決めしたら左右方向にずれたりしにくくなるので、左側の位置決め用農作業具ホルダ２２と右側の位置決め用農作業具ホルダ２３の間隔は、所望の間隔に維持される。
【００５２】
その結果、農作業中に、ナイフビーム２５及びコールタ２８に外力が作用しても、左右のナイフビーム２５の間隔、左右のコールタ２８の間隔、左右の施肥排出口２０の間隔が変動したりすることなく、一定間隔に維持される。
【００５３】
以上、本発明に係る農作業機を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５４】
本発明に係る農作業機は上記のような構成であるから、左右にナイフビーム、コールタディスク、施肥排出口以外にも、左右に農作業具を備え、左右の間隔を調整する必要のある農作業機にも適用可能である。
【符号の説明】
【００５５】
１  農作業機
２  前方フレーム
３  後方フレーム
６  左側フレーム
７  右側フレーム
８  中央フレーム
９  スタンド
１１  左右のリンク装着具
１２  支持フレーム
１３  マスト
１４  中央のリンク装着具
１７  肥料タンクの支持板
１８  肥料タンク
１９  施肥供給管
２０  施肥排出口
２２  左側の位置決め用農作業具ホルダ
２３  右側の位置決め用農作業具ホルダ
２４  嵌合筒
２５  ナイフビーム
２６  チゼル
２７  コールタ取付アーム
２８  コールタ
３３  ねじ軸
３４  左側の軸
３５  右側の軸
３６  ジョイント
４０  左側のねじ部
４１  右側のねじ部
４２  左側のねじ孔
４３  右側のねじ孔
４６  ハンドル
【図１】
2019110847.tif 000003
【図２】
2019110847.tif 000004
【図３】
2019110847.tif 000005
【図４】
2019110847.tif 000006